(57)【要約】【課題】冷凍ケーシング内部に生成された氷の剥離、搬送を安定的に行うことができるオーガ式製氷機を提供することを目的とする。【解決手段】オーガ式製氷機１は内部にオーガ１５を有する筒状の冷凍ケーシング１８と、前記オーガ１５の回転駆動を行うギャードモータ２とを備え、冷凍ケーシング１８の内面に付いた氷をオーガ１５の回転により削り取ることができる。オーガ式製氷機１は、冷凍ケーシング１８の内面に対向する前記オーガ１５の螺旋刃１５Ａのテーパ面１５Ｄに、削り取った氷を受ける凹部１５Ｅを設けた。【選択図】図３
2004101133.tif 000002
【特許請求の範囲】
【請求項１】
内部にオーガを有する筒状の冷凍ケーシングと、前記オーガの回転駆動を行うギャードモータとを備え、冷凍ケーシングの内面に付いた氷をオーガの回転により削り取ることができるオーガ式製氷機において、
前記冷凍ケーシングの内面に対向する前記オーガの螺旋刃に、削り取った氷を受ける凹部を設けたことを特徴とするオーガ式製氷機。
【請求項２】
請求項１に記載のオーガ式製氷機において、
前記凹部は、前記オーガの螺旋刃の螺旋方向に設けられていることを特徴とするオーガ式製氷機。
【発明の詳細な説明】
【０００１】
【発明の属する技術分野】
本発明は、ギャードモータを介して冷凍ケーシングの内部でオーガを回転させながら、冷凍ケーシング内に供給された製氷水を氷結させて氷を製造するオーガ式製氷機に関するものである。
【０００２】
【従来の技術】
従来より、各種のオーガ式製氷機が提案されており、例えば、下記特許文献１乃至４に記載されているオーガ式製氷機は、筒状の冷凍ケーシングの内部で、その上部に配置された氷圧縮ヘッドと下部に配置されたハウジングとを介してオーガ（スクリュウ）を回転可能に支持し、ハウジング内でオーガの下端部に連結されるギャードモータを介してオーガを回転させながら、生成された氷を削り取って上方へ移送して圧縮し、圧縮した氷片を製造するように構成されている。
【０００３】
【特許文献１】
実開昭５５−８５６７５号公報（図１、図２）
【特許文献２】
特開昭５９ー１８３６３号公報（図１、第２頁及び第３頁）
【特許文献３】
特開平８−７５３３１号公報（図１、第３頁）
【特許文献４】
特開平８−１７８４８５号公報（図１、第３頁及び第４頁）
【０００４】
【発明が解決しようとする課題】
しかし、オーガが生成された氷を削り取る際に、製氷筒内面を押しつける方向に力（ラジアル荷重）が発生するが、そのラジアル荷重の変動が大きいため、冷凍ケーシング内部に生成された氷の剥離、搬送に安定性を欠くという課題があった。
そこで、本発明は、上述した問題を解決するためになされたものであり、冷凍ケーシング内部に生成された氷の剥離、搬送を安定的に行うことができるオーガ式製氷機を提供することを目的する。
【０００５】
【課題を解決するための手段】
前記目的を達成するため請求項１に係る発明によれば、内部にオーガを有する筒状の冷凍ケーシングと、前記オーガの回転駆動を行うギャードモータとを備え、冷凍ケーシングの内面に付いた氷をオーガの回転により削り取ることができるオーガ式製氷機において、前記冷凍ケーシングの内面に対向する前記オーガの螺旋刃に、削り取った氷を受ける凹部を設けたことを特徴とする。
【０００６】
請求項１に係るオーガ式製氷機によれば、冷凍ケーシングの内面に対向する前記オーガの螺旋刃に、削り取った氷を受ける凹部を設けたので、冷凍ケーシング内面を押しつける方向のラジアル荷重の変動が少なくなることにより、オーガの回転により安定的に冷凍ケーシング内部に生成された氷を剥離して、搬送することができる。
【０００７】
請求項２に係る発明によれば、請求項１に記載のオーガ式製氷機において、前記凹部は、前記オーガの螺旋刃の螺旋方向に設けられていることを特徴とする。
【０００８】
請求項２に係るオーガ式製氷機によれば、削り取った氷を受ける凹部をオーガの螺旋刃の螺旋方向に設けたので、オーガによって削り取られた氷を、オーガの螺旋刃の螺旋方向に安定的に搬送することができる。
【０００９】
【発明の実施の形態】
以下、本発明に係るオーガ式製氷機につき具体化した実施形態に基づいて図面参照しつつ詳細に説明する。図１は、本実施の形態のオーガ式製氷機を示す模式断面図、図２はオーガ式製氷機の分解斜視図である。
【００１０】
図１、図２に示すオーガ式製氷機１において、その下部にはギャードモータ２が配設されており、このギャードモータ２は、駆動モータ３と減速装置４とが一体に構成されている。駆動モータ３は例えば単相１００Ｖで駆動され、また、減速装置４内に設けられた減速機構には平行軸平歯車３段方式が使用されている。また、減速装置４は、アルミダイキャスト製の下カバー４Ａ及び上カバー４Ｂを有し、下カバー４Ａと上カバー４Ｂとは、複数個の六角穴付ボルト５を介して相互に締結されている。更に、ギャードモータ２は、長尺状の六角穴付ボルト５’を各上カバー４Ａ、下カバー４Ｂに貫通させることにより、ベース（図示せず）に対して固定されている。
【００１１】
減速装置４の上カバー４Ｂには連結口６が設けられており、この連結口６には減速機構の出力軸７が臨んでいる。出力軸７にはスプライン継手８の下端が取り付けられ、また、スプライン継手８の上端はオーガ１５の下端部に連結されている。連結口６の周囲に形成された上カバー４Ｂのフランジ部９は、ハウジング１０の下部に形成されたフランジ部１１と重ね合わされ、複数箇所で六角穴付ボルト５、座金１３、１３を介して相互に締結されている。ハウジング１０は、ギャードモータ２と冷凍ケーシング１８とを相互に接続固定する作用を行うものである。
【００１２】
オーガ１５はステンレスから形成されており、その周囲に螺旋歯１５Ａを有する。かかる螺旋歯１５Ａは、冷凍ケーシング１８内で成長したシャーベット状の氷を冷凍ケーシング１８の内壁から剥ぎ取りながら冷凍ケーシング１８の上方に向かって押し上げる作用を行う。また、オーガ１５の下端部１５Ｂは、ハウジング１０内でスプライン継手８の上端に連結されている。これにより、オーガ１５は、ギャードモータ２（駆動モータ３、減速装置４）、及び、スプライン継手８を介して、ゆっくりと回転され、その回転に伴って冷凍ケーシング１８内で成長した氷を上方に押し上げる。
尚、オーガ１５の下端部１５Ｂの上方位置にはメカニカルシール１６が配置され、このメカニカルシール１６は、冷凍ケーシング１８内に供給される製氷水が漏出しないようにシールを行うものである。また、Ｏリング１７が、ハウジング１０の周壁に配置されている。
【００１３】
冷凍ケーシング１８はステンレス製の製氷シリンダ１９を有しており、また、その外周壁は断熱材（発砲ポリウレタン）から形成されている。シリンダ１９のシリンダ壁１９Ａの外周には銅製の冷却パイプ２０が巻かれている。冷却パイプ２０は、公知の冷凍ユニット（コンプレッサ、コンデンサ等からなる）に接続されている。そして、冷却パイプ２０内に導入された冷媒は、急激な圧力低下に基づいて冷却パイプ２０内で蒸発され、この時に、多量の気化熱を奪うことから、製氷シリンダ１９内の温度が急激に低下されるとともに、製氷シリンダ１９におけるシリンダ壁１９Ａの内面の製氷水が氷結されるものである。
【００１４】
冷凍ケーシング１８の上部位置において、製氷シリンダ１９内の上端部には、ステンレス製の氷圧縮ヘッド２１が嵌合されており、かかる氷圧縮ヘッド２１と製氷シリンダ１９の上部とは、座金２２、１４を介して六角穴付ボルト５により複数箇所にて締結固定されている。
また、氷圧縮ヘッド２１の内部には、樹脂製の軸受（図示せず）が嵌着されており、この軸受には、製氷シリンダ１９内に挿通されたオーガ１５の上端部１５Ｃが回転可能に支持されている。更に、オーガ１５における上端部１５Ｃの頂部には、座金２３を介してカッタ２４が六角ボルト２５により固定されており、カッタ２４はオーガ１５の回転に従って回転される。ここに、氷圧縮ヘッド２１は固定刃としての作用を行い、前記のようにオーガ１５を介して製氷シリンダ１９内を上方に押し上げられたシャーベット状の氷は、氷圧縮ヘッド２１により圧縮されて柱状の氷となるとともに、カッタ２４を介して削られてフレーク状の氷が生成されるものである。このように生成されたフレーク状の氷は、氷排出部３１から矢印３１Ａ方向に排出される。
【００１５】
また、冷凍ケーシング１８の上部には、排水パイプ２６が一体に形成された露受皿２７が配設されており、この露受皿２７は、六角穴付ボルト５の付近から漏水する製氷水を受けるとともに、排水パイプ２６を介して排出するものである。更に、冷凍ケーシング１８の下部には、製氷シリンダ１９の内部に連通する吸水口２８が形成されている。この吸水口２８には、公知の製氷水供給タンクが連結されており、吸水口２８から矢印２８Ｂ方向に沿って製氷シリンダ１９内に供給された製氷水が製氷シリンダ１９内で前記のように製氷されるものである。
更に、冷凍ケーシング１８の下部位置において、製氷シリンダ１９の内部には前記したハウジング１０が配設されており、冷凍ケーシング１８の下部とハウジング１０とは、六角穴付ボルト５により複数箇所にて締結固定されている。
【００１６】
次に、本実施の形態のオーガ１５の螺旋歯１５Ａについて、図３乃至図５を参照して説明する。図３は本実施の形態のオーガ１５の拡大正面図である。図４は本実施の形態のオーガ１５の螺旋歯１５ＡのＡ−Ａ線の拡大断面図である。図５は本実施の形態のラジアル荷重を示すグラフである。
冷凍ケーシング１８の内面に対向する前記オーガ１５の螺旋刃１５Ａはテーパ面１５Ｄを形成し、そのテーパ面１５Ｄには、削り取った氷を受ける複数の凹部１５Ｅが設けられている。その凹部１５Ｅは、例えばエンドミルによって削られることにより断面弧状をなし、オーガ１５の螺旋刃１５Ａの螺旋方向となる。
【００１７】
このような凹部１５Ｅを螺旋刃１５Ａのテーパ面１５Ｄに形成した場合、凹部１５Ｅが削り取った氷を受けるため、図５に示すように、凹部１５Ｅをテーパ面１５Ｄに形成しない場合に比べて、冷凍ケーシング１８内面を押しつける方向のラジアル荷重の変動が少なくなるので、安定的に冷凍ケーシング内部に生成された氷を剥離して、搬送することができる。
図５によれば、凹部１５Ｅをテーパ面１５Ｄに形成しない場合のラジアル荷重の最大値を１００パーセントとした場合、ラジアル荷重の変動が大きいことがわかる。それに対して、凹部１５Ｅをテーパ面１５Ｄに形成すると、ラジアル荷重の最大値が２０パーセント低下して、ラジアル荷重の変動が小さい。
また、凹部１５Ｅをテーパ面１５Ｄに形成した場合のオーガ１５に掛かるトルクは、実験の結果、凹部１５Ｅをテーパ面１５Ｄに形成しない場合に比べて、数パーセントに低下した。
【００１８】
以上説明した通り、内部にオーガ１５を有する筒状の冷凍ケーシング１８と、前記オーガ１５の回転駆動を行うギャードモータ２とを備え、冷凍ケーシング１８の内面に付いた氷をオーガ１５の回転により削り取ることができるオーガ式製氷機１において、冷凍ケーシング１８の内面に対向する前記オーガ１５の螺旋刃１５Ａのテーパ面１５Ｄに、削り取った氷を受ける凹部１５Ｅを設けたので、冷凍ケーシング１８内面を押しつける方向のラジアル荷重の変動が少なくなり、オーガ１５の回転により、安定的に冷凍ケーシング１８内部に生成された氷を剥離して、搬送することができる。
【００１９】
尚、本発明は、前記各実施形態に限定されるものではなく、本発明の要旨を逸脱しない範囲内で種々の改良、変形が可能であることは勿論である。
また、本発明の実施の形態は上述した例に限らず、様々な形態に応用が可能である。オーガ１５の螺旋刃１５Ａの凹部は、例えば図６（ａ）に示すように断面三角形状でもよいし、図６（ｂ）に示すように筋状でもよいし、図６（ｃ）に示すように断面四角形状などでもよい。また、オーガ１５の螺旋刃１５Ａの凹部を螺旋刃の螺旋方向と交差するように設けてもよい。
【００２０】
【発明の効果】
以上説明した通り、請求項１に係る発明によれば、内部にオーガを有する筒状の冷凍ケーシングと、前記オーガの回転駆動を行うギャードモータとを備え、冷凍ケーシングの内面に付いた氷をオーガの回転により削り取ることができるオーガ式製氷機において、前記冷凍ケーシングの内面に対向する前記オーガの螺旋刃に、削り取った氷を受ける凹部を設けたので、冷凍ケーシング内面を押しつける方向のラジアル荷重の変動が少なくなり、オーガの回転により、安定的に冷凍ケーシング内部に生成された氷を剥離して、搬送することができる。
【００２１】
請求項２に係る発明によれば、凹部は、前記オーガの螺旋刃の螺旋方向に設けられているので、オーガによって削り取られた氷を、オーガの螺旋刃の螺旋方向に安定的に搬送することができる。
【図面の簡単な説明】
【図１】本実施の形態のオーガ式製氷機の模式断面図である。
【図２】本実施の形態のオーガ式製氷機の分解斜視図である。
【図３】本実施の形態のオーガの拡大正面図である。
【図４】本実施の形態のオーガの螺旋刃のＡ−Ａ線の拡大断面図である。
【図５】本実施の形態のラジアル荷重を示すグラフである。
【図６】他の実施の形態の凹部の拡大断面図である。
【符号の説明】
１・・・オーガ式製氷機、２・・・ギャードモータ、
１５・・・オーガ、１５Ａ・・・オーガの螺旋刃、
１５Ｂ・・・オーガの下端部、１５Ｃ・・・オーガの上端部、
１５Ｄ・・・オーガのテーパ面、１５Ｅ・・・オーガの凹部、
１８・・・冷凍ケーシング、１９・・・製氷シリンダ、
２０・・・冷却パイプ、２１・・・氷圧縮ヘッド
【図１】
2004101133.tif 000003
【図２】
2004101133.tif 000004
【図３】
2004101133.tif 000005
【図４】
2004101133.tif 000006
【図５】
2004101133.tif 000007
【図６】
2004101133.tif 000008